(57)【要約】【課題】増幅部を複数の増幅器により多段構成としている場合であっても、増幅器で発生する歪みを確実に低減できる高周波増幅装置を提供する。【解決手段】アンテナ１１で受信した信号を第１の信号レベル調整器１３で調整した後、増幅器１５ａ〜１５ｃで増幅すると共に、増幅器１５ｂ、１５ｃ間に設けた第２の信号レベル調整器１６でレベル調整し、上記増幅器１５ｃの出力信号をハイパスフィルタ１８を介して出力端子１９より出力する。上記増幅器１５ｃの出力信号のうち、設定帯域内に発生する歪み成分と相関のある歪み成分を含む設定帯域外の信号をローパスフィルタ３１により取り出し、増幅器３２で増幅した後、検波器３３で検波する。コンパレータ３４は、検波器３３で検波された信号と基準電圧とを比較し、その比較出力信号により第１の信号レベル調整器１３を制御し、増幅器１５ｃの出力信号に含まれる歪成分を一定値に保持する。【選択図】    図１
2006197506.tif 000002
【特許請求の範囲】
【請求項１】
複数の増幅器を多段に接続してなる高周波増幅部と、前記高周波増幅部の入力信号のレベルを調整する第１の信号レベル調整器と、前記高周波増幅部を構成する増幅器間に設けられる第２の信号レベル調整器と、前記高周波増幅部の出力信号から設定帯域の信号を選択して後段の電子機器へ出力する第１のフィルタと、前記高周波増幅器の出力信号から設定帯域内に発生する歪み成分と相関のある歪み成分を含む設定帯域外の信号を選択する第２のフィルタと、前記第２のフィルタにより選択された信号を検波する検波器と、前記検波器の出力信号に基づいて前記第１の信号レベル調整器を制御し、前記高周波増幅部に入力する信号レベルを調整して歪みの発生を回避する制御手段とを具備したことを特徴とする高周波増幅装置。
【発明の詳細な説明】
【技術分野】
【０００１】
本発明は、自動利得調整機能を備えた高周波増幅装置に関する。
【背景技術】
【０００２】
従来、一般家庭におけるテレビ受像機あるいは共聴用テレビ受信システムにおいては、受信信号の信号レベルが低い場合、高周波増幅装置（ブースタ）を使用して受信信号を増幅している（例えば、特許文献１参照。）。
【０００３】
上記高周波増幅装置では、増幅する受信信号レベルが高く、増幅後の出力レベルが増幅器の性能以上になると非直線歪みによって歪み成分が発生し、自チャンネルまたは他チャンネルに映像または音声、デジタル信号への妨害を与えることになる。このような歪み発生に伴う妨害を防止するため、従来の高周波増幅装置は、信号レベル調整器を備え、入力信号のレベルを調整できるようにしている。
【０００４】
図１２は、従来の高周波増幅装置の構成例を示したものである。図１２において、１はテレビ放送電波を受信するアンテナで、このアンテナ１で受信した信号を高周波増幅装置２の入力端子３に入力する。上記高周波増幅装置２は、信号レベル調整器４及び増幅部５を備え、上記入力端子３に入力された信号を信号レベル調整器４で調整して増幅部５に入力する。上記増幅部５は、多段例えば３段の増幅器５ａ〜５ｃ及び出力信号レベルを調整する信号レベル調整器６からなり、信号レベル調整器４で調整された信号を増幅し、出力端子７よりテレビ受像機に出力する。  
上記高周波増幅装置２を設置した場合、作業者はテレビ受像機における映像及び音声に妨害が出ていないことや出力レベルを確認しながら信号レベル調整器４を手動調整する。
【０００５】
上記のように信号レベル調整器４を手動調整し、増幅部５への入力信号レベルを最適値に設定することにより、歪み量を規定値以内、すなわち映像妨害を与えないレベルに低減することができる。
【０００６】
また、上記高周波増幅装置２で発生する歪み量が規定値以内となるように信号レベル調整器４を調整した場合であっても、テレビ受像機本体が原因で映像障害が発生する場合がある。このような場合には、信号レベル調整器６により高周波増幅装置２の出力レベルを下げる等の再調整が必要になる。
【特許文献１】特許第３２３９１０５号明細書
【発明の開示】
【発明が解決しようとする課題】
【０００７】
上記高周波増幅装置２における信号レベル調整器４を調整する場合、発生している妨害波を確認できる測定器（スぺクトラムアナライザなど）を用意するか、実際のテレビ受像機や測定機器など映像や音声または信号波形、ビットエラーレートなどを確認できる機器で、映像や音声または信号波形、ビットエラーレートを確認しながら調整を行なわなければならない。しかし、テレビ受信機器の設置場所は、一般的に屋根の上や高所などが多く、確認するための機器と調整しなければならない増幅装置が近くにない場合など、調整がきわめて困難な場合が多い。
【０００８】
また、上記増幅部５は、一般に増幅する信号レベルに応じた動作電流を流す必要があり、信号レベルに比して動作電流が少ないと歪みの発生量が増大するという特性を有している。従って、増幅部５で増幅する信号レベルが小さい場合は動作電流が少なくて良いが、信号レベルが大きくなるに従って動作電流を増大する必要がある。従って、図１２に示すように増幅部５を多段の増幅器５ａ〜５ｃにより構成した場合、最終段の増幅器５ｃで増幅する信号レベルが高くなり、動作電流も増大させる必要がある。
【０００９】
図１３（ａ）、（ｂ）は、上記従来の高周波増幅装置２の回路構成と各回路部における信号レベルとの関係を対応して示したものである。アンテナ１で受信された信号は、信号レベル調整器４で減衰するが、その後、増幅器５ａ〜５ｃで順次増幅されて信号レベルが上昇する。そして、この増幅器５ａ〜５ｃで増幅された信号は、信号レベル調整器６にてレベルが調整され出力端子７から外部に出力される。
【００１０】
上記のように従来の高周波増幅装置２では、増幅部５を多段の増幅器５ａ〜５ｃにより構成した場合、入力信号が増幅器５ａ〜５ｃで連続的に増幅されるので、最終段の増幅器５ｃで増幅する信号レベルが高くなる。このため歪みの発生を抑制するためには増幅器５ｃに大きな動作電流を流さなければならず、消費電力が増大するという問題がある。
【００１１】
本発明は上記の課題を解決するためになされたもので、増幅部を複数の増幅器により多段構成としている場合であっても低消費電力化を図り得ると共に歪みの発生を低減でき、且つ調整が容易な高周波増幅装置を提供することを目的とする。
【課題を解決するための手段】
【００１２】
本発明に係る高周波増幅装置は、複数の増幅器を多段に接続してなる高周波増幅部と、前記高周波増幅部の入力信号のレベルを調整する第１の信号レベル調整器と、前記高周波増幅部を構成する増幅器間に設けられる第２の信号レベル調整器と、前記高周波増幅部の出力信号から設定帯域の信号を選択して後段の電子機器へ出力する第１のフィルタと、前記高周波増幅器の出力信号から設定帯域内に発生する歪み成分と相関のある歪み成分を含む設定帯域外の信号を選択する第２のフィルタと、前記第２のフィルタにより選択された信号を検波する検波器と、前記検波器の出力信号に基づいて前記第１の信号レベル調整器を制御し、前記高周波増幅部に入力する信号レベルを調整して歪みの発生を回避する制御手段とを具備したことを特徴とする。
【発明の効果】
【００１３】
本発明によれば、高周波増幅器の出力信号に含まれる設定帯域内に発生する歪み成分と相関のある歪み成分を含む設定帯域外の信号を検知することにより、他チャンネルの影響を受けることなく歪み成分を確実に検知でき、その検知信号に基づいて高周波増幅器の入力信号レベルを自動的に調整して歪みの発生を回避することができる。
【００１４】
また、高周波増幅部を複数の増幅器により多段に構成する場合であっても、増幅器間に信号レベル調整器を設けて信号レベルを調整することにより、後段の増幅器に対する信号レベルを低くできるので、その増幅器の動作電流を低減して低消費電力化を図ることができる。
【発明を実施するための最良の形態】
【００１５】
以下、図面を参照して本発明の実施形態を説明する。  
（第１実施形態）
図１は、本発明の一実施形態に係る自動利得調整機能を備えた高周波増幅装置の構成を示すブロック図である。  
図１において、１１はテレビ放送電波を受信するアンテナで、このアンテナ１１で受信した信号を高周波増幅装置１０の入力端子１２に入力する。この入力端子１２に入力された信号は、入力レベル調整用の第１の信号レベル調整器１３を介して高周波増幅部１４に入力される。この高周波増幅部１４は、複数段例えば３段の増幅器１５ａ〜１５ｃからなり、増幅器間例えば増幅器１５ｂと１５ｃとの間に出力レベル調整用の第２の信号レベル調整器１６を設けている。そして、例えば可変抵抗器等からなるレベル設定手段１７によって第２の信号レベル調整器１６の信号レベル及び増幅器１５ｃの動作電流を設定できるように構成している。すなわち、レベル設定手段１７によって第２の信号レベル調整器１６の出力信号レベルを設定した際、それに応じて増幅器１５ｃの動作電流を設定するようにしている。例えばレベル設定手段１７によって第２の信号レベル調整器１６の出力信号レベルを高く設定した場合、その出力信号レベルに応じて増幅器１５ｃの動作電流を増大して歪みの発生を抑制している。また、レベル設定手段１７によって第２の信号レベル調整器１６の出力信号レベルを低く設定した場合、その信号レベルに応じて増幅器１５ｃの動作電流を減少している。
【００１６】
上記増幅器１５ａ〜１５ｃは、Ａ級増幅回路を使用したもので、例えばＦＭ放送（７６〜９０ＭＨｚ）、１〜１２チャンネルのＶＨＦテレビ放送（９０〜１０８ＭＨｚ、１７０〜２２２ＭＨｚ）、更にＵＨＦテレビ放送の信号を増幅する。
【００１７】
上記増幅器１５ｃから出力される信号は、フィルタ例えば７０ＭＨｚ以上の周波数の信号を通過させるハイパスフィルタ（ＨＰＦ）１８を介して出力端子１９より後段の電子機器、例えばテレビ受像機等に出力する。
【００１８】
上記増幅器１５ｃとハイパスフィルタ１８との間には、歪検知自動調整回路３０が接続される。この歪検知自動調整回路３０は、増幅器１５ｃから出力される信号のうち、設定帯域内に発生する歪み成分と相関のある歪み成分を含む設定帯域外の信号、例えば４０ＭＨｚ以下の周波数の信号を通過させるローパスフィルタ（ＬＰＦ）３１を介して取り出す。上記ハイパスフィルタ１８及びローパスフィルタ３１により分波器を構成している。
【００１９】
更に、上記ローパスフィルタ３１の出力信号を増幅器３２で増幅した後、検波器３３で検波してコンパレータ３４に入力する。このコンパレータ３４は、検波器３３の出力信号と基準電圧源３５から与えられる基準電圧とを比較し、その比較出力信号により第１の信号レベル調整器１３を制御する。上記基準電圧源３５は、例えば可変抵抗器等からなるレベル設定手段３６によって基準電圧のレベルを設定できるようになっている。
【００２０】
上記の構成において、アンテナ１１によりテレビ放送信号が受信され、入力端子１２より第１の信号レベル調整器１３を介して高周波増幅部１４に入力される。この高周波増幅部１４は、第１の信号レベル調整器１３でレベルが調整された信号を増幅器１５ａ、１５ｂで増幅する。この増幅器１５ａ、１５ｂで増幅された信号は、第２の信号レベル調整器１６で信号レベルが調整された後、ハイパスフィルタ１８を介して出力端子１９から出力され、同軸ケーブルによりテレビ受像機に送られる。
【００２１】
上記増幅器１５ａ〜１５ｃの非直線歪みによって例えば２波のテレビ受信信号による３次歪みが発生し、映像または音声の妨害が発生している場合には、この３次歪みと相関関係にある２次歪みが発生する。上記３次歪みはテレビ信号の帯域内で発生するが、２次歪みはテレビ信号の帯域より低い周波数、例えば４０ＭＨｚ以下の帯域に発生するものがある。
【００２２】
歪検知自動調整回路３０は、上記増幅器１５ｃから出力される信号のうち、所定のレベルを超える４０ＭＨｚ以下の歪み成分例えば２次歪み成分をローパスフィルタ３１を介して取り出し、増幅器３２で増幅した後、検波器３３で検波して直流成分に変換し、コンパレータ３４に入力する。このコンパレータ３４は、検波器３３で検波された信号と基準電圧源３５から与えられる基準電圧と比較し、その比較出力信号を第１の信号レベル調整器１３にフィードバックする。
【００２３】
この場合、増幅器１５ｃから出力される２次歪み成分のレベルが予め設定したレベルより小さければ、コンパレータ３４は２次歪み成分のレベルが予め設定した設定レベルになるまで、第１の信号レベル調整器１３を駆動するための電圧信号レベルを上昇させる。すなわち、第１の信号レベル調整器１３の出力信号レベルを設定レベルまで上昇させる。しかし、増幅器１５ｃから出力される２次歪み成分のレベルが予め設定したレベル以上であれば、コンパレータ３４は上記２次歪み成分によって第１の信号レベル調整器１３を駆動するための電圧信号を下降させ、第１の信号レベル調整器１３の出力信号レベルを設定レベルまで低下させる。  
上記のように増幅器１５ｃの出力信号に含まれる歪み成分を検出して第１の信号レベル調整器１３を自動的に制御し、高周波増幅部１４における歪みの発生量を設定レベル以下に低下させる。
【００２４】
次に、上記高周波増幅部１４における歪みの発生について、図２を参照して更に詳細に説明する。上記高周波増幅部１４を構成する増幅器１５ａ〜１５ｃは、図２に示すようにＦＭ放送（７６〜９０ＭＨｚ）、１〜１２チャンネルのＶＨＦテレビ放送（９０〜１０８ＭＨｚ、１７０〜２２２ＭＨｚ）、更にＵＨＦテレビ放送の信号を増幅する機能を有するものとし、ここでは例えばＶＨＦテレビの８、１０、１２のチャンネルにおける歪み発生について考察する。
【００２５】
８、１０、１２チャンネルの映像周波数ｆ８、ｆ１０、ｆ１２は、
ｆ８  ：１９３．２５ＭＨｚ
ｆ１０：２０５．２５ＭＨｚ
ｆ１２：２１７．２５ＭＨｚ
である。
【００２６】
上記８チャンネルと１０チャンネルにおける３次歪み成分Ｈ３は、
Ｈ３＝２×ｆ１０-ｆ８  
＝２×２０５．２５（ＭＨｚ）-１９３．２５（ＭＨｚ）
＝２１７．２５（ＭＨｚ）
＝ｆ１２
となる。上記のように８チャンネルと１０チャンネルにおける３次歪み成分Ｈ３は、２１７．２５ＭＨｚとなり、１２チャンネルの映像周波数ｆ１２に一致し、１２チャンネルの映像信号に妨害を与える。
【００２７】
また、上記８チャンネルと１０チャンネルにおける２次歪み成分Ｈ２は、
Ｈ２＝ｆ１０-ｆ８  
＝２０５．２５（ＭＨｚ）-１９３．２５（ＭＨｚ）
＝１２（ＭＨｚ）
となる。
【００２８】
上記のように８チャンネルと１０チャンネルにおける２次歪み成分Ｈ２は、１２ＭＨｚで４０ＭＨｚ以下、すなわち、テレビ放送チャンネルの帯域外となり、かつ、３次歪み成分Ｈ３との相関関係を持っている。
【００２９】
図３は、実際のテレビ受信増幅器の２波入力時の３次歪み特性を表した図で、横軸に信号の出力レベル（ｄＢμ）をとり、縦軸に３次歪み（ｄＢ）をとって示した。図中ａの部分は入力信号対３次歪みが１：３で変化しているリニア（直線）領域、ｂの部分は入力信号対３次歪みが１：３で変化しなくなっているリニア領域外を示している。上記測定したテレビ受信増幅器の性能では、受信時、歪みによる妨害信号の影響を受けずに出力できる性能を示す規格３次歪み（相互変調歪み）が-５２ｄＢ確保できる最大出力レベルは、上記図３の歪み特性から１０５ｄＢμであることが分かる。
【００３０】
図４は、上記テレビ受信増幅器の２波入力時の２次歪み特性を表した図で、横軸に信号の出力レベル（ｄＢμ）をとり、縦軸に２次歪み（ｄＢ）をとって示した。図中ｃの部分は入力信号対２次歪みが１：２で変化しているリニア領域、ｄの部分は入力信号対２次歪みが１：２で変化しなくなっているリニア領域外を示している。上記図３における３次歪みのａ領域と図４における２次歪みのｃ領域は、ともにリニア領域となっており、相関関係を保っている。
【００３１】
テレビ用高周波増幅装置の標準的な３次歪み（相互変調歪み）は-５２ｄＢ程度であり、この-５２ｄＢ程度を確保できる増幅装置の最大出力レベルは、１０５〜１１０ｄＢμ程度である。そして、この３次歪みに相当する増幅装置の２次歪みの出力レベルは５０ｄＢμ程度である。従って、歪検知自動調整回路３０では、増幅器１５ｃの出力信号から５０ｄＢμを超える２次歪み成分をローパスフィルタ３１で抽出し、検波器３３で検波してコンパレータ３４に入力し、その比較出力により第１の信号レベル調整器１３を制御する。
【００３２】
通常、テレビ受信増幅器において、歪みが妨害を与えテレビ画像に妨害を与える出力レベルの点は２次歪みと３次歪みの相関がとれている、図３のａ領域及び図４のｃ領域の線形領域内にあり、その線形領域内の歪み成分のレベルを検知すれば良いことが分かる。
【００３３】
しかし、３次歪みがテレビチャンネルの帯域内にある場合は、３次歪みを検知すると、他チャンネルの信号も検知してしまう可能性がある。このため本実施形態では、テレビチャンネルの帯域外において、３次歪みと相関関係にある２次歪みを検知することにより、帯域内で発生する妨害波を検知している。この結果、他チャンネルの影響を受けることなく歪み成分を確実に検知し、その検知信号に基づいて第１の信号レベル調整器１３を自動的に調整することが可能になる。
【００３４】
従って、高周波増幅装置１０の他に測定機などの機器やテレビ受像機などの実信号での確認が不要になると共に面倒な調整作業が不要となり、高品質な受信システムとすることができる。
【００３５】
上記図３、図４では、テレビ受信増幅器のＶＨＦテレビチャンネルにおける歪み特性について示したが、ＵＨＦテレビチャンネルにおいても、３次歪みと２次歪みの間で相関関係を有している。
【００３６】
図５（ａ）、（ｂ）はテレビ受信増幅器への入力周波数が６１１ＭＨｚ（ＵＨＦ３６チャンネルの中心周波数）、６１７ＭＨｚ（ＵＨＦ３７チャンネルの中心周波数）の場合における出力レベルと３次及び２次歪みの関係を測定した結果を示している。また、図６は、同測定結果をグラフ化して示したものである。
【００３７】
テレビ受信増幅器は、図６からも明らかなようにＵＨＦテレビチャンネルにおいても、３次歪みと２次歪みの間で相関関係を有していることが分かる。
【００３８】
上記のように増幅器で発生する多次歪み例えば２次歪みと３次歪みとの間に相関関係があることは、従来から刊行物例えば昭和４９年９月２０日に日本放送出版協会によって出版された「テレビ共同受信技術」、ｐ３８〜４３の「２．３．５  非直線ひずみの数式的説明」等により知られている。
【００３９】
なお、上記第１実施形態では、歪検知自動調整回路３０により２次歪み成分を検知して第１の信号レベル調整器１３を調整する場合について示したが、検知する歪み成分は２次歪み成分は勿論のこと、３次、４次をはじめ多次に亘り、使用用途に応じて検知する歪み成分を選択することにより、正確な判断をさせることができ、適切な処理を行なうことができる。すなわち、テレビ放送チャンネルの帯域外で発生する歪み成分を検知することにより、他チャンネルの影響を受けることなく、歪み成分を確実に検知して第１の信号レベル調整器１３を調整することができる。
【００４０】
検知する歪み成分が小さい場合は、図１に示したように検波器３３の前に検知する周波数帯域の増幅器３２を挿入することにより、歪み成分の検知を確実に行なわせることができる。また、逆に検知する歪み成分が大きい場合は、増幅器３２が不要であり、かつ、減衰回路を挿入することも考えられる。
【００４１】
上記第１実施形態によれば、高周波増幅部の出力信号に含まれる設定帯域内に発生する歪み成分と相関のある歪み成分を含む設定帯域外の信号を検知することにより、他チャンネルの影響を受けることなく、歪み成分を確実に検知でき、その検知信号に基づいて高周波増幅部の入力信号レベルを自動的に調整して歪みの発生を回避することができる。
【００４２】
また、高周波増幅部１４を構成する増幅器間、例えば増幅器１５ｂと１５ｃとの間に第２の信号レベル調整器１６を設けて信号レベルを調整しているので、増幅器１５ｃが増幅する信号レベルを低くできる。この結果、増幅器１５ｃの動作電流を低減して低消費電力化を図ることができる。
【００４３】
図７は、例として３次歪みが−５２ｄＢとなるときの増幅器１５ｃに流れている電流と出力レベルとの関係を表した図である。この図から明らかなように増幅器に電流を流せば流すほど出力レベルが増加する。ここで例えば１１０ｄＢμの出力を得たい場合は、増幅器１５ｃに２０ｍＡの電流を流せば良いことが分かる。このように出力レベルに見合った電流値をその都度変えてやることによって必要最小限の電力で運用することができる。
【００４４】
図８（ａ）、（ｂ）は、上記第１実施形態における概略の回路構成と、各回路部における信号レベルとの関係を対応して示したものである。アンテナ１１で受信された信号は、第１の信号レベル調整器１３で減衰するが、その後、増幅器１５ａ、１５ｂで順次増幅されて信号レベルが上昇する。この増幅器１５ｂで増幅された信号は、次の第２の信号レベル調整器１６で減衰し、その後、最終段の増幅器１５ｃで増幅されて信号レベルが上昇する。そして、この増幅器１５ｃで増幅された信号がハイパスフィルタ１８を介して出力端子１９から出力される。
【００４５】
上記のように高周波増幅部１４を構成する最終段の増幅器１５ｃの前に第２の信号レベル調整器１６を挿入して信号レベルを下げることにより、増幅器１５ｃは前段の増幅器１５ｂとほぼ同レベル、すなわち小さいレベルの信号を処理することになり、動作電流を低減して低消費電力化を図ることができる。
【００４６】
（第２実施形態）
次に、本発明の第２実施形態に係る高周波増幅装置について、図９を参照して説明する。  
この第２実施形態に係る高周波増幅装置１０は、図１に示した第１実施形態において、レベル設定手段１７に代えてコンパレータ３４の出力信号により、第１の信号レベル調整器１３、第２の信号レベル調整器１６のレベル制御及び増幅器１５ｃの動作電流を調整するように構成したものである。この第２実施形態におけるその他の構成は、第１実施形態と同様の構成であるので、同一部分には同一符号を付して詳細な説明は省略する。
【００４７】
第２実施形態では、レベル設定手段３６により基準電圧源３５から出力される基準電圧を設定することにより、第１の信号レベル調整器１３と第２の信号レベル調整器１６の信号出力レベルを同時に調整でき、且つ増幅器１５ｃの動作電流を調整することができる。すなわち、レベル設定手段３６によって高周波増幅装置１０の入力信号のレベルと出力信号のレベルを同時に調整することが可能である。
【００４８】
上記レベル設定手段３６により高周波増幅装置１０の入力信号及び出力信号のレベルを設定した後は、歪検知自動調整回路３０の出力信号、すなわちコンパレータ３４の出力信号によって第１の信号レベル調整器１３、第２の信号レベル調整器１６の信号出力レベル及び増幅器１５ｃの動作電流が自動的に制御される。  
上記第２実施形態においても、第１実施形態と同様に高周波増幅部１４における歪みの発生を効果的に抑制することができると共に増幅器１５ｃの消費電力を低減することができる。
【００４９】
（第３実施形態）
次に、本発明の第３実施形態に係る高周波増幅装置について、図１０を参照して説明する。  
この第３実施形態に係る高周波増幅装置１０では、高周波増幅部１４の増幅器１５ａと１５ｂとの間に第２の信号レベル調整器１６を設けている。そして、レベル設定手段１７により、第２の信号レベル調整器１６の信号出力レベル及び増幅器１５ｂ、１５ｃの動作電流を設定できるように構成している。すなわち、レベル設定手段１７により、第２の信号レベル調整器１６の信号出力レベルに応じて増幅器１５ｂ、１５ｃの動作電流を増減させている。その他の構成は、第１実施形態と同様であるので、同一部分には同一符号を付して詳細な説明は省略する。
【００５０】
上記第３実施形態のように高周波増幅部１４の増幅器１５ａと１５ｂとの間に第２の信号レベル調整器１６を設けた場合には、増幅器１５ｃだけでなく、増幅器１５ｂに対しても信号レベルを小さくできるので、その信号レベルに応じて増幅器１５ｂ、１５ｃの動作電流を減少させて消費電力化を低減することができる。  
また、第３実施形態においても、第１実施形態と同様に高周波増幅部１４における歪みの発生を効果的に抑制することができる。
【００５１】
なお、上記第３実施形態において、更にハイパスフィルタ１８と出力端子１９との間に第３の信号レベル調整器を設け、その出力信号レベルをレベル設定手段１７によって設定するようにしても良い。
【００５２】
（第４実施形態）
次に本発明の第４実施形態に係る高周波増幅装置について、図１１を参照して説明する。  
この第４実施形態に係る高周波増幅装置１０は、図１０に示した第３実施形態において、レベル設定手段１７に代えてコンパレータ３４の出力信号により、第１の信号レベル調整器１３、第２の信号レベル調整器１６のレベル制御及び増幅器１５ｂ、１５ｃの動作電流を調整するように構成したものである。この第４実施形態におけるその他の構成は、第１実施形態と同様の構成であるので、同一部分には同一符号を付して詳細な説明は省略する。
【００５３】
第４実施形態では、レベル設定手段３６により基準電圧源３５から出力される基準電圧を設定することにより、第１の信号レベル調整器１３、第２の信号レベル調整器１６の信号出力レベル及び増幅器１５ｂ、１５ｃの動作電流を設定し、高周波増幅装置１０の入力信号のレベルと出力信号のレベルを同時に調整することが可能である。
【００５４】
上記レベル設定手段３６により高周波増幅装置１０の入力信号及び出力信号のレベルを設定した後は、歪検知自動調整回路３０の出力信号、すなわちコンパレータ３４の出力信号によって第１の信号レベル調整器１３、第２の信号レベル調整器１６の信号出力レベル及び増幅器１５ｂ、１５ｃの動作電流が自動的に制御される。  
上記第４実施形態においても、第３実施形態と同様に増幅器１５ｂ、１５ｃで増幅する信号レベルを小さくできるので、その信号レベルに応じて増幅器１５ｂ、１５ｃの動作電流を減少させて消費電力化を低減することができる。  
また、上記第４実施形態においても、第１実施形態と同様に高周波増幅部１４における歪みの発生を効果的に抑制することができる。
【００５５】
なお、上記第４実施形態において、更にハイパスフィルタ１８と出力端子１９との間に第３の信号レベル調整器を設け、その出力信号レベルをコンパレータ３４の出力信号によって制御するようにしても良い。
【００５６】
また、上記実施形態における歪検知自動調整回路３０は、増幅器１５ｃの出力信号から設定レベルを超える設定帯域外の歪み成分をローパスフィルタ３１で抽出するようにしたが、その他、例えばローパスフィルタ３１で低レベルの歪み成分まで抽出し、その後、検波器３３の検波出力から設定レベル以上の歪み成分をコンパレータ３４で検出して第１の信号レベル調整器１３の調整を行なうようにしても良い。
【００５７】
更に上記実施形態では、テレビ放送電波を受信して増幅する場合について示したが、その他、例えば無線通信機に用いられる増幅器に対しても、上記実施形態と同様にして実施し得るものである。  
本発明は、上記実施形態そのままに限定されるものではなく、実施段階ではその要旨を逸脱しない範囲で構成要素を変形して具体化できるものである。
【図面の簡単な説明】
【００５８】
【図１】本発明の第１実施形態に係る高周波増幅装置の構成を示すブロック図である。
【図２】同実施形態における歪み検知動作を説明するための図である。
【図３】テレビ受信増幅器の２波入力時の３次歪み特性を示す図である。
【図４】テレビ受信増幅器の２波入力時の２次歪み特性を示す図である。
【図５】テレビ受信増幅器への入力周波数が６１１ＭＨｚ、６１７ＭＨｚの場合における出力レベルと３次及び２次歪みの関係を測定した結果を示す図である。
【図６】図５における測定結果をグラフ化して示す図である。
【図７】第１実施形態において、３次歪みが−５２ｄＢとなるときの増幅器に流れている電流と出力レベルとの関係を表した図である。
【図８】第１実施形態における概略の回路構成と各回路部における信号レベルとの関係を対応して示す図である。
【図９】本発明の第２実施形態に係る高周波増幅装置の構成を示すブロック図である。
【図１０】本発明の第３実施形態に係る高周波増幅装置の構成を示すブロック図である。
【図１１】本発明の第４実施形態に係る高周波増幅装置の構成を示すブロック図である。
【図１２】従来の高周波増幅装置の構成例を示すブロック図である。
【図１３】従来の高周波増幅装置における回路構成と各回路部における信号レベルとの関係を対応して示す図である。
【符号の説明】
【００５９】
１０…高周波増幅装置、１１…アンテナ、１２…入力端子、１３…第１の信号レベル調整器、１４…高周波増幅部、１５ａ〜１５ｃ…増幅器、１６…第２の信号レベル調整器、１７…レベル設定手段、１８…ハイパスフィルタ（ＨＰＦ）、１９…出力端子、３０…歪検知自動調整回路、３１…ローパスフィルタ（ＬＰＦ）、３２…増幅器、３３…検波器、３４…コンパレータ、３５…基準電圧源、３６…レベル設定手段。
【図１】
2006197506.tif 000003
【図２】
2006197506.tif 000004
【図３】
2006197506.tif 000005
【図４】
2006197506.tif 000006
【図５】
2006197506.tif 000007
【図６】
2006197506.tif 000008
【図７】
2006197506.tif 000009
【図８】
2006197506.tif 000010
【図９】
2006197506.tif 000011
【図１０】
2006197506.tif 000012
【図１１】
2006197506.tif 000013
【図１２】
2006197506.tif 000014
【図１３】
2006197506.tif 000015